(57)【特許請求の範囲】
【請求項１】
固定レートの制御信号をスペクトラム拡散して制御拡散信号を出力し、レートが変化して当該レートがそれぞれ同一になる３つの送信信号をスペクトラム拡散して３つの送信拡散信号を出力する拡散手段（１１、１３、１５、１７）と、
前記３つの送信拡散信号にそれぞれ第１の係数（βｄ）を乗算して３つの送信乗算信号を求め、前記制御拡散信号に第２の係数（βｃ）を乗算して制御乗算信号を求める乗算手段（１２、１４、１６、１８）とを有し、
前記第１及び第２の係数（βｄ、βｃ）は、前記３つの送信乗算信号及び前記制御乗算信号の各ビットあたりのビットエネルギーの合計を一定に保つとともに、前記３つの送信乗算信号のうちいずれか１つのビットあたりのビットエネルギーと前記制御乗算信号のビットあたりのビットエネルギーをそれぞれ一致させるように設定され、
前記３つの送信乗算信号のうち２つの送信乗算信号を加算して第１の加算信号を出力する第１の加算器（２０）と、
前記３つの送信乗算信号のうち残りの１つの送信乗算信号と、前記制御乗算信号とを加算して第２の加算信号を出力する第２の加算器（２１）と、
前記第１、第２の加算信号に応じて、直交変調して直交変調信号を出力する直交変調手段（４１〜４４）と、
前記直交変調信号に応じて可変利得で電力増幅して送信出力信号を出力する電力増幅器（４５）と、
前記送信出力信号に応じて、前記送信出力信号の電力の平均値に応じた平均信号を出力する平均信号出力手段（１００、１１０Ａ）と、
前記送信出力信号の電力の目標値毎に対する送信電力データを保持するデータ保持手段（１４０）と、
前記送信電力データと前記平均信号とに応じて、前記送信出力信号の電力が一定になるように前記電力増幅器の可変利得を制御する制御手段（１３０）とを有するスペクトラム拡散送信機であって、
前記電力増幅器の後段側に設けられ、前記送信出力信号に応じて、可変利得で電力増幅して電力増幅信号を出力する後段可変利得増幅器（６０）を有し、
前記制御手段は、前記送信電力データと前記平均信号とに応じて、前記電力増幅信号の電力が一定になるように前記後段可変利得増幅器の可変利得を制御し、
前記平均信号出力手段は、
前記後段可変利得増幅器からの電力増幅信号に応じて、前記電力増幅信号の半波における包絡線レベルに応じた包絡線信号を出力する検波器（１００）と、
前記包絡線レベルを平均化するように前記包絡線信号を平滑化して前記平均信号を出力する平均平滑化手段（１１０Ａ）とを有し、
前記平均平滑化手段は、前記検波器の出力端子に接続された第１の抵抗素子（１１１）と、前記第１の抵抗素子の一端とグランドとの間に接続された第１のコンデンサ（１１２）と、前記第１の抵抗素子の他端とグランドとの間に接続された第２のコンデンサ（１１３）と、前記第１の抵抗素子の一端とグランドとの間に前記第１のコンデンサと並列に接続された第２の抵抗素子（１１４）とを備えて構成されており、
前記データ保持手段（１４０）に保持された前記送信出力信号の電力の目標値毎に対する送信電力データは、シングルコード伝送時に測定されたものであることを特徴とするマルチコード伝送を行うスペクトラム拡散送信機。
【発明の詳細な説明】
【０００１】
【発明の属する技術分野】
本発明は、マルチコード伝送を行うスペクトラム拡散送信機に関する。
【０００２】
【従来の技術】
以下に、従来のスペクトラム拡散方式を用いた自動車電話（無線通信端末）の送信機（ＲＦ部）の概略を図３を参照して説明する。なお、当該送信機は、シングルコード伝送を行うものであって、以下、当該送信機をシングルコード送信機という。シングルコード送信機は、減衰器１、電力増幅器２、方向性結合器３、終端器４ａ、検波器（ダイオード）４ｂ、フィルタ５、Ａ−Ｄ変換器６、マイクロコンピュータ７、メモリ（不揮発性メモリ）７ａ、Ｄ−Ａ変換器８、及び演算増幅器９から構成されている。
【０００３】
減衰器１は、変調された高周波信号を入力信号とし、その入力信号を所定減衰量だけ減衰させて出力し、電力増幅器２は、減衰器１の出力信号を予め設定された利得で増幅し、送信出力信号としてアンテナ端側に供給する。なお、アンテナ端は、自動車電話のアンテナ取付部である。また、方向性結合器３は、電力増幅器２の後段に設けられ、方向性結合器４の一端には、終端器４ａが接続されて、他端には検波器４ｂが接続されている。検波器４ｂには、送信出力信号に比例する電圧レベルの比例信号が入力され、検波器４ｂは、比例信号の正側半波における包絡線レベルを示す検波信号を出力する。フィルタ５は、検波器４ｂの検波信号を平滑して平滑信号を出力する。このように、検波器４ｂは、フィルタ５とともに、送信出力信号の電力検波を行うことになる。
【０００４】
Ａ−Ｄ変換器６は、フィルタ５の平滑信号をアナログ−デジタル変換しデジタル信号を出力する。メモリ７ａは、送信電力マップを予め有し、送信電力マップは、目標送信電力レベル毎の送信電力データ（例えば、７５個）を保持する。但し、目標送信電力レベル（送信出力信号の電力の目標値）は、通信網側からの電力制御信号により得られる。また、マイクロコンピュータ７は、メモリ７ａの送信電力マップのうち、目標送信電力レベルに対する送信電力データを選択し、この送信電力データとＡ−Ｄ変換器６からのデジタル信号との差分を求め、この差分に応じた差分信号を出力する。
【０００５】
Ｄ−Ａ変換器８は、マイクロコンピュータ７からの差分信号をデジタル−アナログ変換しアナログ信号を減衰器１に出力し、減衰器１は、その入力信号を、当該アナログ信号に応じた所定減衰量だけ、減衰させて出力する。すなわち、減衰器１の減衰量は、マイクロコンピュータ７による制御により、目標送信電力レベルに応じた一定レベルになるように制御されることになる。以下、メモリ７ａの送信電力マップにつき説明する。
【０００６】
シングルコード送信機の送信時において、減衰器１からアンテナ端側の電力利得は、目標送信電力レベル毎に異なる。また、減衰器１からアンテナ端側までの電力利得は、自動車電話の製品毎に異なる。これに加えて、目標送信電力レベルに対する電力利得の温度変化特性（発熱による）は、自動車電話の製品毎に異なる。このため、自動車電話の製造時において、その製品毎に、そのメモリ７ａの送信電力マップには、各目標送信電力に対応した各送信電力データを記憶させている。これにより、シングルコード送信機は、送信電力が目標送信電力レベルを一定に保つように精度良く制御することができる。
【０００７】
【発明が解決しようとする課題】
ところで、近年、マルチコード伝送を行うスペクトラム拡散通信が提案されており、本発明者は、マルチコード伝送を行うスペクトラム拡散方式（Ｗ−ＣＤＭＡ方式）を用いた自動車電話（無線通信端末）の送信機について、上記シングルコード送信機を基に、検討を行った。以下、本発明者の検討によるマルチコード伝送を行うスペクトラム拡散方式を用いた自動車電話の送信機（以下、単に、マルチコード送信機という）について図４、図５を参照して説明する。
【０００８】
マルチコード送信機は、図４に示すように、乗算器１１〜１８、加算器２０、２１、乗算器３０、３１、位相移行器３２、デジタルフィルタ（ＦＩＲ）３３、３４、局部発信器（Ｌｏ）３５、３６、可変ゲインアンプ付直交変調器４０、及びバンドパスフィルタ５０を有している。また、可変ゲインアンプ付直交変調器４０は、乗算器４１、４２、位相移行器４３、加算器４４、及びゲインコントロールアンプ４５から構成されている。
【０００９】
また、マルチコード送信機には、図５に示すように、局部発信器（Ｌｏ）３６、バンドパスフィルタ５１、乗算器５２、ゲインコントロールアンプ６０、バンドパスフィルタ７０、アンプ８０、方向性結合器９０、アイソレータ９１、デュプレクサ９２、アンテナ９３、検波器１００、フィルタ１１０、Ａ−Ｄ変換器１２０、マイクロコンピュータ１３０、メモリ１４０、及びＤ−Ａ変換器１５０が設けられている。なお、局部発信器（Ｌｏ）３５、３６は、それぞれ、ＰＬＬ回路から成る。
【００１０】
先ず、図４に示すマルチコード送信機への入力信号として、第１の送信信号（DPDCH１：dedicated Physical Data Channel１）、第３の送信信号（DPDCH３：dedicated Physical Data Channel３）、第２の送信信号（DPDCH２：dedicated Physical Data Channel２）、制御信号（DPCCH ：dedicated Physical contorol Channel）が採用されている。第１の送信信号DPDCH１は、第３の送信信号DPDCH３及び第２の送信信号DPDCH２とともに、シリアルの通信データが、シリアル−パラレル変換されたものであって、第１〜第３の送信信号（DPDCH１、DPDCH２、DPDCH３）のレートは、各々、可変レートであるものの、同一レートになっている。また、制御信号は、自動車電話と通信網側（基地局）との同期をとる為の同期信号を有し、制御信号のレートは、固定レートである。
【００１１】
図４に示す例では、送信信号（DPDCH１〜DPDCH３）の数（以下、チャネル数という）は、「４つ」であるものの、入力される送信信号（DPDCH）の数は、変化するようになっている。具体的には、▲１▼第１〜第３の送信信号が入力停止で、制御信号だけ入力される。▲２▼第２、第３の送信信号が入力停止で、第１の送信信号及び制御信号だけ入力される。▲３▼第３の送信信号が入力停止で、第１及び第２の送信信号及び制御信号だけ入力される。▲４▼第１〜第３の送信信号及び制御信号の全てが入力される。このように、マルチコード送信機では、制御信号だけが、常時、入力されるものの、少なくとも１つの送信信号（DPDCH）が選択的に、入力、或いは入力停止される。以下、マルチコード送信機において、第１〜第３の送信信号及び制御信号の全てが入力される例につき説明する。
【００１２】
乗算器１１は、第１の送信信号DPDCH１を第１の拡散符号（Cd１：Channelization  Code１）でスペクトラム拡散して第１の拡散信号を出力する。乗算器１２は、第１の拡散信号と第１のゲインパラメータβｄ（第１の係数）とを乗算して第１の乗算信号を出力する。乗算器１３は、第３の送信信号DPDCH３を第３の拡散符号（Cd３：Channelization  Code３）でスペクトラム拡散し第３の拡散信号を出力する。乗算器１４は、第３の拡散信号と第１のゲインパラメータβｄ（第１の係数）とを乗算し第３の乗算信号を出力する。加算器２０は、第１及び第３の乗算信号を加算して第１の加算信号を出力する。
【００１３】
乗算器１５は、第２の送信信号DPDCH２を第２の拡散符号（Cd２：Channelization  Code２）でスペクトラム拡散して第２の拡散信号を出力する。乗算器１６は、第２の拡散信号と第１のゲインパラメータβｄ（第１の係数）とを乗算し第２の乗算信号を出力する。乗算器１７は、制御信号DPCCHを第４の拡散コード（Cc：Channelization  Code）でスペクトラム拡散して第４の拡散信号を出力する。乗算器１８は、第２の拡散信号と第２のゲインパラメータβｃ（第２の係数）とを乗算し第４の乗算信号を出力する。加算器２１は、第２及び第４の乗算信号を加算して第２の加算信号を出力する。
【００１４】
次に、第１及び第２のゲインパラメータβｄ、βｃについて説明する。先ず、通信網の基地局の受信機では、自動車電話からの送信信号を受信し、この送信信号に基づいて第１〜４の乗算信号の逆拡散処理を行う。第１の乗算信号を逆拡散処理するにあたり、第２〜４の乗算信号は、妨害信号となり、第２の乗算信号を逆拡散処理するにあたり、第１、３、４の乗算信号は、妨害信号となる。同様に、第３の乗算信号を逆拡散処理するにあたり、第１、２、４の乗算信号は、妨害信号となり、第４の乗算信号を逆拡散処理するにあたり、第１〜３の乗算信号は、妨害信号となる。このため、第１〜４の乗算信号の各々の電力が、不均一であると、第１〜４の乗算信号の各々の逆拡散処理を良好に行うことが困難になる。
【００１５】
ここで、制御信号のレートは、固定レートであるため、第４の拡散信号の電力は一定であるものの、第１〜３の送信信号（DPDCH１、DPDCH２、DPDCH３）は、各々、上述の如く、可変レートを有するため、第１〜３の拡散信号の各電力は、レートの変化に応じて変化する。そこで、第１及び第２のゲインパラメータβｄ、βｃは、第１〜４の乗算信号の各電力（第１〜４の乗算信号の各ビットあたりのビットエネルギー）の合計を一定に保ちつつ、第１及び第４の乗算信号の各電力（第１の乗算信号のビットあたりのビットエネルギーと、第４の乗算信号のビットあたりのビットエネルギーと）を一致させる。これに伴い、上述のごとく、第１〜３の送信信号のレートは、各々、同一となっているため、第１〜第４の乗算信号の各電力は一致する。このように、第１〜第４の乗算信号の各電力を一致させるため、通信網の基地局の受信機において、第１〜４の乗算信号の各々の逆拡散処理を良好に行うことができる。
【００１６】
また、乗算器３０は、加算器２０からの第１の加算信号にロングコードを乗算する。ロングコードは、スクランブルコードであって、自動車電話（無線通信端末）毎の固有のコードで、通信網側において自動車電話として識別を図る役割を果たす。なお、当該スクランブルコードとしては、ロングコードに代えて、ショートコードを採用してもよい。
【００１７】
デジタルフィルタ（ＦＩＲ）３３は、乗算器３０からの出力信号を受け、フィルタ信号を出力する。位相移行器３２は、上記ロングコードを受け、このロングコードの位相を９０°シフトさせた出力信号を出力し、乗算器３１は、加算器２１からの第２の加算信号に位相移行器３２からの出力信号と乗算する。デジタルフィルタ（ＦＩＲ）３４は、乗算器３１からの出力信号を受け、フィルタ信号を出力する。
【００１８】
ここで、可変ゲインアンプ付直交変調器４０では、デジタルフィルタ（ＦＩＲ）３３からのフィルタ信号が実成分Ｉとして入力され、デジタルフィルタ（ＦＩＲ）３４からのフィルタ信号が虚成分Ｑとして入力される。そして、デジタルフィルタ（ＦＩＲ）３３、３４の双方からのフィルタ信号に基づいて直交変調が行われる。具体的には、乗算器４１は、デジタルフィルタ（ＦＩＲ）３３からのフィルタ信号と、局部発信器（Ｌｏ）３５からの搬送波信号とを乗算する。即ち、乗算器４１は、デジタルフィルタ３３のフィルタ信号を、このフィルタ信号に比べて周波数の高い信号に変換する。位相移行器４３は、局部発信器（Ｌｏ）３５からの搬送波信号を受け、この搬送波信号の位相を９０°シフトさせた位相移行搬送波信号を出力する。乗算器４２は、デジタルフィルタ（ＦＩＲ）３４からのフィルタ信号と、位相移行器４３からの位相移行搬送波信号とを乗算する。加算器４４は、乗算器４１、４２の双方からの出力信号を加算し加算信号を直交変調信号として出力する。
【００１９】
ゲインコントロールアンプ４５は、Ｄ−Ａ変換器１５０からのアナログ信号に応じた可変利得で直交変調信号（加算信号）を電力増幅して送信出力信号を出力する。バンドパスフィルタ５０は、ゲインコントロールアンプ４５の送信出力信号を受けフィルタ信号を出力し、乗算器５２は、バンドパスフィルタ５０のフィルタ信号と局部発信器（Ｌｏ）３６からの周波数信号とを乗算する。即ち、乗算器５２は、バンドパスフィルタ５０のフィルタ信号を、このフィルタ信号に比べて高い周波数の信号に変換する。
【００２０】
バンドパスフィルタ５１は、乗算器５２からの出力信号を受けフィルタ信号を出力する。ゲインコントロールアンプ６０は、バンドパスフィルタ５１のフィルタ信号を、Ｄ−Ａ変換器１５０からのデジタル信号に応じた可変利得で、電力増幅して増幅信号を出力する。バンドパスフィルタ７０は、ゲインコントロールアンプ６０の増幅信号を受け、フィルタ信号を出力する。アンプ８０は、バンドパスフィルタ７０からのフィルタ信号を、予め設定された利得で電力増幅する。アンプ８０の出力信号は、方向性結合器９０、アイソレータ９１、デュプレクサ９２を通してアンテナ９３に出力される。これにより、アンプ８０の出力信号は、電磁波（電波）を媒体として出力される。
【００２１】
検波器１００（ダイオード）は、図３に示す検波器４ｂと同様の役割を果たすもので、検波器１００は、方向性結合器９０から出力比例信号が入力され、出力比例信号は、アンプ８０の出力信号に比例した電圧レベルとなるものである。検波器１００は、出力比例信号の正側半波の包絡線レベルを示す検波信号（直流電圧）を出力する。また、フィルタ１１０は、図３に示すフィルタ５と同様の役割を果たして、検波器１００の検波信号を平滑して平滑信号を出力する。
【００２２】
Ａ−Ｄ変換器１２０は、フィルタ１１０からの平滑信号をアナログ−デジタル変換しデジタル信号を出力する。メモリ（送信電力マップ）１４０には、後述する複数の送信電力データが保持され、マイクロコンピュータ１３０は、メモリ１４０の送信電力データと、Ａ−Ｄ変換器１２０からのデジタル信号とに応じて、制御信号を出力する。Ｄ−Ａ変換器１５０は、マイクロコンピュータ７からの制御信号をデジタル−アナログ変換してアナログ信号をゲインコントロールアンプ４５、６０を出力する。これにより、ゲインコントロールアンプ４５は、マイクロコンピュータ１３０からの制御信号に応じて送信出力信号の電力を目標送信電力レベルを保つように制御される。これに伴い、ゲインコントロールアンプ６０は、マイクロコンピュータ１３０からの制御信号に応じて増幅信号の電力一定に保つように制御されことになる。
【００２３】
以下、メモリ１４０の送信電力データについて説明する。上述したシングルコード送信機では、図７に示すように、検波器４ｂの検波信号としは、目標送信電力レベルに対応した電圧波形（図７中Ｂ参照）が得られるため、フィルタ５の平滑信号としても、目標送信電力レベルに対応した直流電圧波形が得られることになる。従って、マイクロコンピュータ７による送信電力制御にあたり、フィルタ５の平滑信号におけるＡ／Ｄ変換後のデジタル信号と、メモリ７ａにおける各目標送信電力レベル毎の送信電力データとが採用されている。すなわち、メモリ７ａには、各目標送信電力レベル毎の送信電力データを有する送信電力マップが１種類だけ設けられている。しかし、本発明者の検討によれば、マルチコード送信機では、メモリ１４０の送信電力マップとしては、複数種の送信電力マップが必要になることが分かった。これは、図８、図９に示すように、第１、第２のゲインパラメータβｄ、βｃの変化によって、第１〜第４の乗算信号（図８、図９中、符号Ｄ１〜Ｄ４参照）の振幅レベルが変化し、ゲインコントロールアンプ６０の増幅信号の電圧波形（符号Ｃ参照）が変化し、検波器１００の検波信号の電圧波形（図８、図９中、符号Ｅ参照）が変化するからである。なお、図８、図９に示す例では、第１〜第３の乗算信号の振幅レベルが、図８中の符号ＤＬから図９中の符号ＤＬ’に変化し、第４の乗算信号の振幅レベルが、図８中の符号ＤＲから図９中の符号ＤＲ’に変化し、ゲインコントロールアンプ６０の増幅信号の振幅レベルが、図８中の符号ＣＬ１〜ＣＬ３から図９中の符号ＣＬ１’〜ＣＬ３’に変化し、検波器１００の検波信号の振幅レベルが図８中の符号ＥＬ１〜ＥＬ３から図９中の符号ＥＬ１’〜ＥＬ３’に変化している。
【００２４】
次に、このように、第１、第２のゲインパラメータβｄ、βｃの変化により、検波器１００の検波信号が変化することの具体的な例について説明する。先ず、第１〜第３の送信信号及び制御信号の全てが入力された例につき説明する。ここで、第１、第２のゲインパラメータβｄ、βｃは、上述の如く、第１〜第４の乗算信号の各電力の合計を一定に保ちつつ第１〜第４の乗算信号の各電力を一致させるように設定される。また、第１、第２のゲインパラメータβｄ、βｃの最大値は「１」である。
【００２５】
例えば、制御信号のレートが１５Kbpsで、第１〜第３の送信信号の各レートが１２０Kbpsであるとき、第１〜第４の乗算信号の各電力を一致させるためには、第１のゲインパラメータβｄが「0.32」、第２のゲインパラメータβｃが「0.04」となる。そして、第１〜第３の送信信号の各レートが１２０Kbpsから２４０Kbpsに変わると、上述の如く、第１〜第４の乗算信号の各電力の合計を一定を保ちつつ第１〜第４の乗算信号の各電力を一致させるためには、第１のゲインパラメータβｄが「0.326」となって、第２のゲインパラメータβｃが「0.022」となる。このように、第１〜第３の送信信号の各レートが変わると、第１及び第２のゲインパラメータβｄ、βｃが変わる。
【００２６】
ここで、ゲインコントロールアンプ６０の増幅信号の電圧波形は、第１〜第４の乗算信号（図８中符号Ｄ１〜Ｄ４参照）を足し合わせたものに基づくため、増幅信号の電圧波形は、第１〜第３の送信信号の変化に基づいて変わる。すなわち、アンテナ９３から送信される平均送信電力が一定のままであっても、増幅信号の電圧波形は、上述の如く、第１及び第２のゲインパラメータβｄ、βｃの組み合わせで変わるため、検波器１００の検波信号の電圧波形（図８中符号Ｅ参照）は、フィルタ１１０の平滑後の電圧波形とともに、第１及び第２のゲインパラメータβｄ、βｃの組み合わせで変わる。従って、第１及び第２のゲインパラメータβｄ、βｃの組み合わせに対応して、複数の送信電力マップを用意する必要がある。
【００２７】
また、送信電力マップは、チャネル数｛送信信号（DPDCH）の数｝にも対応して用意する必要がある。但し、第１〜第３の送信信号のうち何れかが入力停止されたとき、入力された送信信号（DPDCH）に対応する乗算信号（以下、対応乗算信号という）と、第４の乗算信号との各電力の合計を一定に保つとともに、対応乗算信号及び第４の乗算信号の双方の電力を一致させるように、第１及び第２のゲインパラメータβｄ、βｃは設定される。また、入力された送信信号は、上述の如く、同一値の可変レートを有している。
【００２８】
例えば、（１）第１〜第３の送信信号が入力停止で、制御信号（レート：１５Kbps）だけ入力されるとき、第２のゲインパラメータβｃが「１」になる。（２）第２、第３の送信信号が入力停止で、第１の送信信号（レート：１２０Kbps）及び制御信号（レート：１５Kbps）だけ入力されるとき、第１及び第２のゲインパラメータβｄ、βｃは、第１及び第４の乗算信号の各電力の合計が一定で、第１及び第４の乗算信号の各電力を一致させるように設定されるので、第１のゲインパラメータβｄが「0.88」、第２のゲインパラメータβｃが「0.11」となる。
【００２９】
（３）第３の送信信号が入力停止で、第１及び第２の送信信号（レート：１２０Kbps）及び制御信号（レート：１５Kbps）だけ入力されるとき、第１及び第２のゲインパラメータβｄ、βｃは、第１、第２、第４の乗算信号の各電力の合計が一定で、第１、第２、第４の乗算信号の各電力を一致させるように設定されるため、第１のゲインパラメータβｄが「0.471」、第２のゲインパラメータβｃが「0.058」となる。
【００３０】
（４）第１〜３の送信信号（レート：１２０Kbps）及び制御信号（レート：１５Kbps）の全てが入力されるとき、第１及び第２のゲインパラメータβｄ、βｃは、第１〜第４の乗算信号の各電力の合計が一定で、第１〜第４の乗算信号の各電力を一致させるように設定され、第１のゲインパラメータβｄが「0.32」、第２のゲインパラメータβｃが「0.04」となる。
【００３１】
このように、チャネル数が「４」のとき、（１）〜（４）の４通りが考えられ、第１〜第３の送信信号のレートによって、４通り毎に、第１及び第２のゲインパラメータβｄ、βｃの組み合わせが変わる。従って、アンテナ９３から送信される平均送信信号電力が一定のままであっても、検波器１００の検波信号の電圧波形をフィルタ１１０によって平滑した電圧波形は、第１及び第２のゲインパラメータβｄ、βｃの組み合わせで、変わるため、送信電力マップを、チャネル数にも対応して用意する必要がある。
【００３２】
以上により、送信電力マップとしては、チャネル数に加えて、第１及び第２のゲインパラメータβｄ、βｃの組み合わせに対応して用意する必要がある。具体的には、第１、第２のゲインパラメータβｄ、βｃとしては、１６通り、チャネル数としては、４通りであると、６４種類の送信電力マップが必要となる（１６×４＝６４）。すなわち、図１０に示すように、１つの送信電力マップにおいて、７５個｛２４dBm〜−５０dBm（１dBmステップの場合）｝の送信電力データが保持されているとすると、送信電力データとしては、４８００個必要となり、メモリ１４０としては、過大な容量を必要とする。
【００３３】
本発明は、上記点に鑑みて、データ保持手段の容量を少なくするようにしたマルチコード伝送を行うスペクトラム拡散送信機を提供することを目的とする。
【００３４】
【課題を解決するための手段】
上記目的を達成するため、請求項１に記載の発明では、固定レートの制御信号をスペクトラム拡散して制御拡散信号を出力し、レートが変化して当該レートがそれぞれ同一になる３つの送信信号をスペクトラム拡散して３つの送信拡散信号を出力する拡散手段（１１、１３、１５、１７）と、
前記３つの送信拡散信号にそれぞれ第１の係数（βｄ）を乗算して３つの送信乗算信号を求め、前記制御拡散信号に第２の係数（βｃ）を乗算して制御乗算信号を求める乗算手段（１２、１４、１６、１８）とを有し、
前記第１及び第２の係数（βｄ、βｃ）は、前記３つの送信乗算信号及び前記制御乗算信号の各ビットあたりのビットエネルギーの合計を一定に保つとともに、前記３つの送信乗算信号のうちいずれか１つのビットあたりのビットエネルギーと前記制御乗算信号のビットあたりのビットエネルギーをそれぞれ一致させるように設定され、
前記３つの送信乗算信号のうち２つの送信乗算信号を加算して第１の加算信号を出力する第１の加算器（２０）と、
前記３つの送信乗算信号のうち残りの１つの送信乗算信号と、前記制御乗算信号とを加算して第２の加算信号を出力する第２の加算器（２１）と、
前記第１、第２の加算信号に応じて、直交変調して直交変調信号を出力する直交変調手段（４１〜４４）と、
前記直交変調信号に応じて可変利得で電力増幅して送信出力信号を出力する電力増幅器（４５）と、
前記送信出力信号に応じて、前記送信出力信号の電力の平均値に応じた平均信号を出力する平均信号出力手段（１００、１１０Ａ）と、
前記送信出力信号の電力の目標値毎に対する送信電力データを保持するデータ保持手段（１４０）と、
前記送信電力データと前記平均信号とに応じて、前記送信出力信号の電力が一定になるように前記電力増幅器の可変利得を制御する制御手段（１３０）とを有するスペクトラム拡散送信機であって、
前記電力増幅器の後段側に設けられ、前記送信出力信号に応じて、可変利得で電力増幅して電力増幅信号を出力する後段可変利得増幅器（６０）を有し、
前記制御手段は、前記送信電力データと前記平均信号とに応じて、前記電力増幅信号の電力が一定になるように前記後段可変利得増幅器の可変利得を制御し、
前記平均信号出力手段は、
前記後段可変利得増幅器からの電力増幅信号に応じて、前記電力増幅信号の半波における包絡線レベルに応じた包絡線信号を出力する検波器（１００）と、
前記包絡線レベルを平均化するように前記包絡線信号を平滑化して前記平均信号を出力する平均平滑化手段（１１０Ａ）とを有し、
前記平均平滑化手段は、前記検波器の出力端子に接続された第１の抵抗素子（１１１）と、前記第１の抵抗素子の一端とグランドとの間に接続された第１のコンデンサ（１１２）と、前記第１の抵抗素子の他端とグランドとの間に接続された第２のコンデンサ（１１３）と、前記第１の抵抗素子の一端とグランドとの間に前記第１のコンデンサと並列に接続された第２の抵抗素子（１１４）とを備えて構成されており、
前記データ保持手段（１４０）に保持された前記送信出力信号の電力の目標値毎に対する送信電力データは、シングルコード伝送時に測定されたものであることを特徴とする。
【００３５】
このように、電力増幅器の可変利得の制御にあたり、平均信号出力手段の平均信号を採用している。ここで、送信信号が送信停止すると、送信出力信号の波形は変化し、送信信号の停止状態から送信を開始すると、送信出力信号の波形は変化し、送信信号のレートが変化すると送信出力信号の波形は変化するものの、平均信号は、送信出力信号の電力の平均値に応じたものであるため、送信出力信号の電力が一定の状態では、平均信号は、送信出力信号の電力に応じてほぼ一定となる。従って、従来のシングルコード送信機と同様に、データ保持手段としては、上述の如く、送信出力信号の電力の目標値毎に対する送信電力データだけを保持することになるため、データ保持手段の容量を少なくすることができる。
【００３９】
なお、上記各手段の括弧内の符号は、後述する実施形態に記載の具体的手段との対応関係を示すものである。
【００４０】
【発明の実施の形態】
以下、本発明を図に示す実施形態について説明する。本実施形態におけるマルチコード伝送を行うスペクトラム拡散通信（Ｗ−ＣＤＭＡ方式の）の自動車電話の送信機としては、図３、図４に示す構成とブロック的に同一の構成を有する。但し、本実施形態のフィルタは、図４に示すフィルタ１１０と異なり、図１に示すフィルタ１１０Ａが採用されている。フィルタ１１０Ａは、検波器１００からの検波信号（包絡線信号）の電圧レベルを平均化するように検波信号を平滑化して平均信号を出力する。但し、平均信号は、アンプ８０の出力信号の電力平均値を示す。
【００４１】
なお、フィルタ１１０Ａは、図６に示す抵抗素子１１１及びコンデンサ１１２、１１３に加えて、抵抗素子１１４が採用されている。抵抗素子１１１は、検波器１００及びＡ−Ｄ変換器１２０の間に接続されて、抵抗素子１１４及びコンデンサ１１２は、それぞれ、検波器１００の出力端子とグランドとの間に接続されている。コンデンサ１１３は、Ａ−Ｄ変換器１２０の入力端子及びグランドの間に接続されている。
【００４２】
また、Ａ−Ｄ変換器１２０は、フィルタ１１０Ａの平均信号をデジタル信号に変換して、マイクロコンピュータ１３０は、Ａ−Ｄ変換器１２０からのデジタル信号とメモリ１４０の送信電力データとに応じて、ゲインコントロールアンプ４５、６０を制御する。これにより、ゲインコントロールアンプ４５、６０は、マイクロコンピュータ１３０からの制御信号に応じて、出力信号（送信出力信号、増幅信号）の電力を一定に保つように制御される。
【００４３】
以上により、ゲインコントロールアンプ４５、６０の出力信号の電力制御にあたり、平均信号のデジタル信号（Ａ−Ｄ変換器１２０からの）を採用しており、平均信号は、アンプ８０の出力信号の電力平均値を示しているので、アンテナ９３から送信される平均送信電力が一定の状態では、ゲインコントロールアンプ６０の増幅信号の電圧波形が変化しても、平均信号の電圧レベルは、ほぼ一定になる。従って、メモリ１４０には従来のシングルコード送信機と同様に送信出力信号の電力の目標値毎に対する送信電力データを一種類だけ用意すればよい。これにより、多種の条件での送信マップを用意する必要がなく、メモリ１４０の容量を減らすことができる。
【００４４】
また、送信マップとしては、製造時にて、自動車電話の製品毎において、各目標送信電力に対応した各送信電力を測定し、各送信電力データを得るようにしている。ここで、多種の条件での送信マップを用意するためには、多種の条件での各目標送信電力に対応した各送信電力を測定する必要があるが、本実施形態では、上述の如く、送信出力信号の電力の目標値毎に対する送信電力データを一種類だけを用意するだけでよいため、当該測定回数を減らすことができる。
【００４５】
なお、フィルタ１１０（シングルコード送信機）の平滑信号の電圧レベルに比べて、本実施形態（マルチコード送信機）のフィルタ１１０Ａの平均信号の電圧レベルの方が、若干、高くなる性質がある。このような平均信号のデジタル信号に応じて、本実施形態のマイクロコンピュータ１３０は、ゲインコントロールアンプ４５、６０の出力信号の電力制御を行うので、同一の送信電力目標値に設定した場合、本実施形態では、シングルコード送信機に比べて、送信電力を下げることができるという効果が期待できる（図２参照）。
【００４６】
なお、上記実施形態では、図４に示すように、４個の送信信号（DPDCH）を採用した例につき説明したが、これに限らず、１個〜６個の送信信号を採用してもよい。例えば、１個の送信信号（DPDCH１）だけを採用したとき、加算器２０、２１は削除されて、第１の乗算信号が、第１の加算信号に代えて、直接、乗算器３０に入力される。また、第４の乗算信号（制御信号）が、第２の加算信号に代えて、直接、乗算器３０に入力される。その他の構成は、上記実施形態と、実質的に、同様である。
【００４７】
このような構成では、▲１▼１個の送信信号（DPDCH１）と制御信号（DPCCH）とが入力されるときと、▲２▼送信信号（DPDCH１）の入力が停止され、制御信号（DPCCH）だけが入力されるときでは、検波器１００の検波信号の電圧波形は異なる。従って、アンテナ９３から送信される平均送信電力が一定の状態で、検波器１００の検波信号の電圧波形は、変化するものの、フィルタ１１０Ａの平均信号の電圧レベルが一定になるため、上記実施形態と同様に、１つの送信電力マップだけを採用することになり、メモリ１４０の容量を減らすことができる。
【００４８】
なお、本発明の実施にあたり、マルチコード伝送を行うスペクトラム拡散送信機としては、自動車電話に限らず、携帯電話等、各種無線通信装置に適用してもよい。
【図面の簡単な説明】
【図１】本発明の実施形態の送信機の検波器及びフィルタを示す電気回路図である。
【図２】上記送信機の効果を示す為の図である。
【図３】従来の送信機を示す電気回路構成を示すブロック図である。
【図４】送信機の一部を示す電気回路構成を示すブロック図である。
【図５】送信機の残りを示す電気回路構成を示すブロック図である。
【図６】図５に示すフィルタの具体的な構成を示す電気回路図である。
【図７】図５に示すフィルタ５の作用を説明する為の図である。
【図８】図５に示すフィルタ１００の作用を説明する為の図である。
【図９】図５に示すフィルタ１００の作用を説明する為の図である。
【図１０】図５に示すメモリを説明するための図である。
【符号の説明】
８０…アンプ、１００…検波器、１４０…メモリ。
【図１】
0004258109.tif 000002
【図２】
0004258109.tif 000003
【図３】
0004258109.tif 000004
【図４】
0004258109.tif 000005
【図５】
0004258109.tif 000006
【図６】
0004258109.tif 000007
【図７】
0004258109.tif 000008
【図８】
0004258109.tif 000009
【図９】
0004258109.tif 000010
【図１０】
0004258109.tif 000011